(57)【要約】【課題】  エレベータにパネル装置が設けられるようになってきたが、パネル装置は、視覚障害者にとっては操作が難しい場合があった。【解決手段】  視覚障害者にとっても容易に操作することのできるエレベータの表示装置である。情報を表示可能な表示パネルと、この表示パネルの表面を覆うように取り付けられ前記表示パネルに表示された情報から所望の情報を選択する動作を検出する光透過性を有するタッチパネルスイッチとを具備するパネル装置１６と、前記タッチパネルスイッチの表面に近接して設けられ、前記表示パネルから前記タッチパネルスイッチを透して表示された情報に対応する位置に触知用の凸部又は凹部を有し、前記タッチパネルスイッチの表面に向けて押圧可能な触知手段２１と、を備える。【選択図】  図２
2006069709.tif 000002
【特許請求の範囲】
【請求項１】
情報を表示可能な表示パネルと、この表示パネルの表面を覆うように取り付けられ前記表示パネルに表示された情報から所望の情報を選択する動作を検出する光透過性を有するタッチパネルスイッチと、を具備するパネル装置と、
前記タッチパネルスイッチの表面に近接して設けられ、前記表示パネルから前記タッチパネルスイッチを透して表示された情報に対応する位置に触知用の凸部又は凹部を有し、前記タッチパネルスイッチの表面に向けて押圧可能な触知手段と、
を備えることを特徴とするエレベータの表示装置。
【請求項２】
前記触知手段が、交換可能に取り付けられていることを特徴とする請求項１記載のエレベータの表示装置。
【請求項３】
前記触知手段が、前記表示パネルから前記タッチパネルスイッチを透して表示された情報の変更に応じて、前記触知用の凸部又は凹部の位置を変更可能に取り付けられていることを特徴とする請求項１記載のエレベータの表示装置。
【請求項４】
前記触知手段に、視認可能な情報伝達手段が記載されていることを特徴とする請求項１〜３のいずれか１項に記載のエレベータの表示装置。
【請求項５】
前記表示パネルは、情報を表示する状態と、情報を表示しない状態とを選択可能であることを特徴とする請求項４記載のエレベータの表示装置。
【請求項６】
前記触知手段は、前記タッチパネルスイッチの表面に向けて押圧したときにクリック感を付与する弾性体を備えることを特徴とする請求項１〜５のいずれか１項に記載のエレベータの表示装置。
【請求項７】
エレベータの表示装置が、エレベータのかご内操作盤に設けられていることを特徴とする請求項１〜６のいずれか１項に記載のエレベータの表示装置。
【発明の詳細な説明】
【技術分野】
【０００１】
本発明は、エレベータの表示装置に関する。
【背景技術】
【０００２】
表示装置に関し、情報を表示可能な表示パネルと、前記表示パネルの表面を覆うように取り付けられ、前記表示パネルに表示された情報から所望の情報を選択する動作を検出する光透過性を有するタッチパネルスイッチとを備え、利用者が、前記タッチパネルスイッチを押すことで各種の操作を行うことができる、パネル装置（いわゆるタッチパネル）が知られている。エレベータにおいても、このようなパネル装置が利用されるようになってきていて、例えば、かご内操作盤に前記パネル装置が設けられて、従来は押しボタンにより行われてきた各種の操作を、前記パネル装置により行われるようになってきている。
【０００３】
このようなパネル装置が設けられたエレベータのかご内操作盤の一例を、図１１及び図１２を用いて説明する。図１１は、従来の表示装置（パネル装置）が設けられたエレベータのかご内操作盤の正面図、図１２は図１１のかご内操作盤の側面図である。図１１及び図１２において、操作盤１０１は、エレベータの利用者が、かごの外部の人と通話するためのインターホン１０２と、非常時にかごの外部の人を呼び出すための非常呼ボタン１０３と、ドアの開スイッチ１０４と、ドアの閉スイッチ１０５を備えているとともに、行先階を表示して登録するためのパネル装置１０６が設けられている。図示したパネル装置１０６は、前記表示パネルと前記タッチパネルスイッチが一体的に組み合わされたものであり、前記表示パネルにより行先階の数字が表示できるようになっていて、利用者が、その行先階の数字が表示されている領域を押す操作を行うことにより、前記表示パネルを覆うように取り付けられているタッチパネルスイッチが動作し、選択された行先階が登録されるようになっている。
【０００４】
これらのインターホン１０２、非常呼ボタン１０３、開スイッチ１０４、閉スイッチ１０５及びパネル装置１０６は、それぞれの外形に合わせて開口が形成されているフェースプレート１０７の背面に取り付けられ、図１２に示すように、前記フェースプレート１０７の背面から溶接により突設しているボルト１０８に、それぞれの両側端部に形成されている取り付け用の貫通孔を通してナット１０９で締結することにより固定されている。
【０００５】
図１１及び図１２に図示した前記パネル装置１０６は、行先階あるいはその他の画像を表示することができ、かつ、その表示された画像に応じて利用者が選択する動作を検出することができるものであるから、変化に富む表示機能、入力機能を提供することができる。
【発明の開示】
【発明が解決しようとする課題】
【０００６】
しかしながら、かような機能を有するパネル装置１０６による操作は、パネル装置１０６上に表される情報や画像に対応したタッチパネルスイッチの特定領域を押す操作を要する。したがって、パネル装置１０６上に表される情報や画像を視認することができる晴眼者にとっては当該タッチパネルスイッチの特定領域を押す操作は容易であっても、弱視者や全盲などの視覚障害者にとっては、当該タッチパネルスイッチの特定領域を押す操作は難しく、あるいは操作することができなかった。
【０００７】
本発明は、上記の問題を有利に解決するもので、エレベータに設けられているパネル装置について、晴眼者のみならず、視覚障害者にとっても容易に操作することのできるエレベータの表示装置を提供することを目的とする。
【課題を解決するための手段】
【０００８】
本発明は、情報を表示可能な表示パネルと、この表示パネルの表面を覆うように取り付けられ前記表示パネルに表示された情報から所望の情報を選択する動作を検出する光透過性を有するタッチパネルスイッチと、を具備するパネル装置と、前記タッチパネルスイッチの表面に近接して設けられ、前記表示パネルから前記タッチパネルスイッチを透して表示された情報に対応する位置に触知用の凸部又は凹部を有し、前記タッチパネルスイッチの表面に向けて押圧可能な触知手段と、を備えることを特徴とするエレベータの表示装置である。
【発明の効果】
【０００９】
本発明のエレベータの表示装置は、触知手段を備えることから、視覚障害者は、前記触知手段に設けられている凸部又は凹部を触知することができ、その凸部又は凹部を押圧することができる。したがって、晴眼者と同様にパネル装置を操作することができる。
【発明を実施するための最良の形態】
【００１０】
以下、図面を参照して本発明のエレベータの表示装置の実施形態について詳細に説明する。
【００１１】
図１は、本発明の第一の実施形態の表示装置が、かご内操作盤に設けられているところを示すエレベータのかご室の模式図である。同図において、かご室１は、天井２と、かご床３と、側壁４とにより囲まれた概略箱形になり、四方を囲む側壁４のうちの一面には利用者が乗降するためのかごドア５が設けられ、前記かごドア５の側方には、袖壁（リターンパネル）６が設けられている。この袖壁６に、かご内操作盤１１が、当該かご内操作盤の四隅に設けられた取り付け孔にネジ７を通して、前記袖壁６に取り付け固定されている。
【００１２】
図２は、前記かご内操作盤１１の正面図であり、図３は、図２に示すかご内操作盤１１の側面図であり、図４は、図２に示すかご内操作盤１１の分解斜視図である。図２ないし図４において、かご内操作盤１１は、かご内の利用者が、かご外部の人と通話するためのインターホン１２、非常時にかごの外部の人を呼び出すための非常呼ボタン１３と、かごドア５の開スイッチ１４と、かごドア５の閉スイッチ１５を備えるとともに、行先階を表示して登録するためのパネル装置１６が設けられている。このパネル装置１６は、情報を表示可能な表示パネルと、この表示パネルの表面を覆うように取り付けられ、前記表示パネルに表示された情報から所望の情報を選択する動作を検出する光透過性を有するタッチパネルスイッチとが一体的に組み合わされたものである。また、前記パネル装置１６は、前記表示パネルにより行先階の数字が表示できるようになっていて、利用者が、その行先階の数字が表示されている領域を押す操作を行うことにより、前記表示パネルを覆うように取り付けられているタッチパネルスイッチが動作し、選択された行先階が登録されるようになっている。
【００１３】
これらのインターホン１２、非常呼ボタン１３、開スイッチ１４、閉スイッチ１５及びパネル装置１６は、それぞれの外形に合わせて開口が形成されているフェースプレート１７の背面に取り付けられ、図３に示すように、前記フェースプレート１７の背面から溶接により突設しているボルト１８に、それぞれの両側端部に形成されている取り付け用の貫通孔を通してナット１９で締結することにより固定されている。
【００１４】
そして、本実施形態の表示装置においては、上記構成に加えて、前記パネル装置１６のタッチパネルスイッチ表面に重ねて、光透過性を有する触知シート２１が設けられ、この触知シート２１の周縁部に重ねて設けられたシート枠２２とともに、前記シート枠２２及び前記触知シート２１の四隅に形成された取り付け孔にネジ２３を貫通させてフェースプレート１７にネジ結合することにより、前記フェースプレート１７に取り付け固定されている。
【００１５】
前記触知シート２１には、前記パネル装置１６により表示される行先階情報に対応する平面位置に、行先階の数字の文字が凸状に立体的に形成されていて、その数字の文字部分を、パネル装置１６のタッチパネルスイッチに向けて押圧可能になっている。
【００１６】
前記触知シート２１について、図面を用いてより詳細に説明する。図５は、触知シート２１の斜視図であり、図６は、図５に示した触知シートのＡ−Ａ断面図である。図５及び図６に示すように、触知シート２１は、厚み方向に撓むことができるシート２１ａ上に、行先階の数字を凸状に盛り上げて立体的に形成された触知用文字部材２１ｂと、前記触知用文字部材２１ｂの存在を了知させるために前記文字部材２１ｂを囲むように凸状に盛り上げて立体的に形成された円形の触知ガイド２１ｃと、前記触知ガイド２１ｃの近傍に形成された突起により、行先階の数字内容を表わした点字２１ｄとを備えている。
【００１７】
また、図６のＡ−Ａ断面図に示すように、触知シート２１は、パネル装置１６の表面とは間隙を空けて設けられ、シート２１ａの前記パネル装置１６に対向する面には、ガイド２１ｅが設けられているとともに、前記触知用文字部材２１ｂに厚み方向で対応する位置に、断面が長方形の突起部２１ｆが形成されている。
【００１８】
なお、上述したシート２１ａ、触知用文字部材２１ｂ、触知ガイド２１ｃ、点字２１ｄ、ガイド２１ｅ及び突起部２１ｆはいずれも、光透過性を有する材料、例えば、透明のプラスチックスよりなり、当該触知シート２１を透して、前記パネル装置１６から表示される行先階情報等を晴眼者が視認できるようになっている。
【００１９】
このような触知シート２１を備える本実施形態の表示装置において、視覚障害者は、触知シート２１の表面に設けられている触知用文字部材２１ｂ又は点字２１ｄにより、触知シート２１に表示されている行先階情報を知ることができる。そして、行先階に対応する前記触知用文字部材２１ｂを押す操作を行うと、触知シート２１が厚み方向に撓み、前記触知用文字部材２１ｂの背面に設けられた突起部２１ｆが前記パネル装置１６の表面に設けられているタッチパネルスイッチと接触し、その位置の押圧操作を検出する。このように本実施形態では、パネル装置１６の表面上に触知シート２１が設けられていることから、視覚障害者であっても、パネル装置１６を操作することができる。
【００２０】
また、前記触知シート２１の構成部材は、前述したとおり、光透過性材料より形成されているので、晴眼者は、パネル装置１６の表示パネルから表示される情報を、前記触知シート２１を透して視認することができ、この情報に応じてパネル装置１６を、従来の表示装置と同様に操作することができる。
【００２１】
前記パネル装置１６は、表示させる情報を異ならせることで、変化に富む表示機能、入力機能が実現できる。したがって、このような表示される複数の情報に応じて、前記触知シートを交換できることが望ましい。この点、図２〜６に示した本実施形態では、前記触知シート２１がシート枠２２ともにネジ２３により取り付けられているので、前記ネジ２３を着脱することにより、前記触知シート２１を容易に交換することができる。
【００２２】
また、前記触知シートを長尺なものとすることにより、前記パネル装置１６により表示される複数の情報に応じた触知及び押圧操作ができるようにすることもできる。すなわち、長尺な触知シートに、パネル装置１６より表示される複数種の情報に応じた触知用文字部材２１ｂの配置パターンを、前記長尺な触知シートの長手方向に複数種で設けておく。そして、表示される情報の変更に応じて、前記長尺な触知シートを移動させ、表示される情報に適合した触知用文字部材２１ｂの配置パターンを、前記パネル装置１６のタッチパネルスイッチの表面に重ねて位置させるようにする。そうすれば、前記パネル装置１６により表示される複数の情報に応じた触知及び押圧操作ができるようになる。
【００２３】
かような構成を具備する本発明の第二の実施形態を図７〜９を用いて説明する。
【００２４】
図７は、本発明の第二の実施形態のエレベータの表示装置が設けられたかご内操作盤の平面図、図８は、図７のかご内操作盤の正面図、図９は、図７及び図８のかご内操作盤の側面図である。図７〜９において、図２及び図３に示した部材と同一の部材には同一符号を付してあり、以下の説明では、重複する説明を省略する。
【００２５】
図７〜９に示した本実施形態では、光透過性を有する材料よりなる長尺触知シート３１がパネル装置１６のタッチパネルスイッチ表面に重ねて設けられている。この長尺触知シート３１には、図５及び図６に示した触知シート２１の触知用文字部材２１ｂ、触知ガイド２１ｃ、点字２１ｄ、ガイド２１ｅ、突起部２１ｆと同様の、触知用の部材が設けられ、かつ、パネル装置１６より表示される複数種の情報に応じた触知用の部材の配置パターンが、前記長尺な触知シートの長手方向に複数種で設けられている。
【００２６】
この長尺触知シート３１は、フェースプレート１７におけるパネル装置１６の両側端近傍にそれぞれ形成されたスリット１７ａによりフェースプレート１７の背面に導かれている。前記フェースプレート１７の背面における前記スリット１７ａ近傍には、それぞれ前記フェースプレート１７の背面に取り付け固定されている上部支持具３２及び下部支持具３３により回動可能に支持されている巻芯３４が設けられている。前記巻芯３４の上端部は、上部支持具３２にネジ３６により取り付け固定されているモータ３５の回転軸と同軸に接続され、前記モータ３５により駆動される。前記巻芯３４には前記長尺触知シート３１の長手方向端部が取り付けられて、前記長尺触知シート３１が巻き付けられている。
【００２７】
このような構成を具備する本実施形態の表示装置において、パネル装置１６に表示される情報を変更するときには、パネル装置１６の両側端近傍に設けられている巻芯３４のうち、一方の巻芯３４のモータ３５を駆動させて、長尺触知シート３１を前記巻芯３４に巻き取ると、他方の巻芯３４からは長尺触知シート３１が巻き取られる。かくして、長尺触知シート３１は、パネル装置１６のタッチパネルスイッチ表面に重ねられている領域においては、ガイド３７に案内されつつ、あらかじめ定められた量だけ移動して、長尺触知シート３１上に形成されている触知手段の位置が変更されることになる。このようにして、本実施形態では、パネル装置１６により表示される画像、情報を変更する場合にも、その変更された画像、情報に対応した位置に位置合わせできる長尺触知シート３１を備えているので、視覚障害者は、パネル装置１６の多様な表示機能に応じた操作をすることができる。
【００２８】
以上述べた実施形態では、触知シート２１又は長尺触知シート３１は、光透過性を有する材料からなるものであり、晴眼者は、前記触知シート２１又は長尺触知シート３１を透して表示される前記パネル装置１６からの情報により、パネル装置１６を操作していた。本発明のエレベータの表示装置では、触知シート２１又は長尺触知シート３１に視認可能な文字、図形、記号などの情報伝達手段が記載されて、この触知シート２１又は３１に記載された情報伝達手段の情報により、パネル装置を操作できるようにすることもできる。
【００２９】
すなわち、図１０に斜視図で示す本発明の第三の実施形態の表示装置に係る触知シート４１は、厚み方向に撓むことができるシート４１ａ上に、行先階の数字を凸状に盛り上げて立体的に形成された触知用文字部材４１ｂと、前記触知用文字部材４１ｂの存在を了知させるために前記触知用文字部材４１ｂを囲むように凸状に盛り上げて立体的に形成された円形の触知ガイド４１ｃを備える他に、前記触知ガイド４１ｃの近傍に、行先階を示す数字４１ｇが、印刷又はその他の表記手段によりシート４１ａ上に記載されている。このようにシート４１ａ上に数字４１ｇが記載されていることにより晴眼者は、この行先階を示す数字４１ｇによって行先階の情報を得ることができるので、パネル装置１６に行先階以外の他の情報が表示されている場合であっても、パネル装置１６を操作して行先階を登録することができる。
【００３０】
図１０に示した本発明の第三の実施形態においては、触知シート４１上に行先階を示す数字４１ｇが記載されていることから、前記パネル装置１６に画像や情報を表示しない場合であっても、晴眼者は記載された数字４１ｇに基づいて、視覚障害者は、触知用文字部材４１ｂに基づいて、いずれもパネル装置１６を操作して行先階を登録することができる。したがって、本発明の表示装置は、パネル装置１６について、情報を表示する状態と、情報を表示しない状態とを選択可能な表示手段（表示パネル）を具備するものとすることができる。そして、パネル装置１６で画像を表示する必要が無い場合や画像を切り換える必要が無い場合に、エネルギー節約やパネル装置１６の寿命延長などのために情報を表示しない状態を選択できるようにして、かつ、そのような情報を表示しない状態を選択した場合であっても、利用者は、前記触知シート４１上に記載された行先階を示す数字４１ｇ等の情報伝達手段により、パネル装置１６を操作することができる。
【００３１】
本発明のエレベータの表示装置は、触知手段について、クリック感を付与する弾性体を備えることができる。すなわち、図６に示すように、触知用文字部材２１ｂと厚み方向に対応する位置に形成されている突起部２１ｆについて、弾性体により形成することができる。突起部２１ｆが断面が長方形の弾性体により形成されることにより、利用者が、触知用文字部材２１ｂを押し下げるときに、前記突起部２１ｆの先端が曲がり、その変形時の反力が操作者の指先にクリック感を生じさせる。また、前記突起部２１ｆは、押圧操作を止めると弾性変形状態から元の状態に自力で復元する。かくして、視覚障害者がボタンを操作するときに、行先階を登録したことを認識することが可能となる。
【００３２】
なお、以上述べた実施形態においては、本発明のエレベータの表示装置を、かご内操作盤に取り付けた例で説明したが、かご内操作盤に取り付けた場合に限られず、例えば、乗場の乗場ボタンに用いることもできる。
【図面の簡単な説明】
【００３３】
【図１】本発明の第一の実施形態の表示装置が、かご内操作盤に設けられているところを示すエレベータのかご室の模式図である。
【図２】本発明の第一の実施形態のエレベータの表示装置が設けられたかご内操作盤の正面図である。
【図３】図２のかご内操作盤の側面図である。
【図４】図２のかご内操作盤の分解斜視図である。
【図５】触知シートの斜視図である。
【図６】図５の触知シートのＡ−Ａ断面図である。
【図７】本発明の第二の実施形態のエレベータの表示装置が設けられたかご内操作盤の平面図である。
【図８】図７のかご内操作盤の正面図である。
【図９】図７のかご内操作盤の側面図である。
【図１０】本発明の第三の実施形態の表示装置に係る触知シートの斜視図である。
【図１１】従来の表示装置が設けられたエレベータのかご操作盤の正面図である。
【図１２】図１１のかご内操作盤の側面図である。
【符号の説明】
【００３４】
１１  かご内操作盤
１２  インターホン
１３  非常呼ボタン
１４  開スイッチ
１５  閉スイッチ
１６  パネル装置
１６  パネル装置
１７  フェースプレート
２１  触知シート（触知手段）
【図１】
2006069709.tif 000003
【図２】
2006069709.tif 000004
【図３】
2006069709.tif 000005
【図４】
2006069709.tif 000006
【図５】
2006069709.tif 000007
【図６】
2006069709.tif 000008
【図７】
2006069709.tif 000009
【図８】
2006069709.tif 000010
【図９】
2006069709.tif 000011
【図１０】
2006069709.tif 000012
【図１１】
2006069709.tif 000013
【図１２】
2006069709.tif 000014